(57)【要約】【課題】文書と一緒に記録媒体に印刷された変更履歴を、時間が経過すると記録媒体から除去されるようにする。【解決手段】画像形成装置１は、時間が経過すると自然に消える消色インク及び非消色インクを用いて、画像を記録媒体に形成することが可能な画像形成部１２と、ユーザーからの印刷指示を受け付ける印刷指示受付部１０２と、印刷指示受付部１０２が印刷指示を受け付けた文書データに基づく画像の記録媒体への形成を画像形成部１２に実行させる制御部１００と、文書データに対する変更履歴を示す変更履歴情報を取得する取得部１０５とを備える。制御部１００は、文書データに基づく画像のうち、取得部１０５により取得された変更履歴情報が示す変更履歴に基づく画像は消色インクを用いて画像形成部１２に形成させ、それ以外の画像は非消色インクを用いて画像形成部１２に形成させる。【選択図】図２
2019171825.tif 000002
【特許請求の範囲】
【請求項１】
時間が経過すると自然に消える消色インク及び時間が経過しても自然には消えない非消色インクを用いて、画像を記録媒体に形成することが可能な画像形成部と、
ユーザーからの印刷指示を受け付ける印刷指示受付部と、
前記印刷指示受付部が前記印刷指示を受け付けた文書データに基づく画像の記録媒体への形成を前記画像形成部に実行させる制御部と、
前記文書データに対する変更履歴を示す変更履歴情報を取得する取得部と、を備え、
前記制御部は、前記文書データに基づく画像のうち、前記取得部により取得された前記変更履歴情報が示す変更履歴に基づく画像については、前記消色インクを用いて前記画像形成部に形成させ、それ以外の画像については、前記非消色インクを用いて前記画像形成部に形成させる画像形成装置。
【請求項２】
前記取得部は、文書データを格納する文書データ格納部から、前記印刷指示受付部が前記印刷指示を受け付けた文書データと類似する基本文書データを読み出し、読み出した基本文書データと前記印刷指示受付部が前記印刷指示を受け付けた文書データとの差分となる文書部分を、前記変更履歴情報として取得する請求項１に記載の画像形成装置。
【請求項３】
前記変更履歴に基づく画像を前記記録媒体から消去させるか否かの消去指示を受け付ける消去指示受付部を更に備え、
前記制御部は、前記消去指示受付部が前記消去指示を受け付けている場合、前記変更履歴に基づく画像については前記消色インクを用いて前記画像形成部に形成させるが、前記消去指示受付部が前記消去指示を受け付けていない場合、前記変更履歴に基づく画像についても前記非消色インクを用いて前記画像形成部に形成させる請求項１又は請求項２に記載の画像形成装置。
【請求項４】
前記印刷指示を行うユーザーを特定する特定部と、
前記画像形成部で前記消色インクを用いての印刷が行われてから予め定められた期間が経過すると、前記変更履歴に基づく画像が前記記録媒体から消える旨を、前記特定部により特定されたユーザーに通知する通知処理を行う通知部と、を更に備え、
前記予め定められた期間は、前記消色インクが消えるまでの期間よりも短い予め定められた期間に設定されている請求項１乃至請求項３のいずれかに記載の画像形成装置。
【請求項５】
前記通知処理を行うか否かの通知指示を受け付ける通知指示受付部を更に備え、
前記通知部は、前記通知指示受付部が前記通知指示を受け付けている場合は前記通知処理を行い、前記通知指示受付部が前記通知指示を受け付けていない場合は前記通知処理を行わない請求項４に記載の画像形成装置。
【発明の詳細な説明】
【技術分野】
【０００１】
本発明は、画像形成装置に関し、特に、変更履歴を含む文書を記録媒体に形成する技術に関する。
【背景技術】
【０００２】
文書編集アプリケーション（例えば、ワードプロセッサー）を使って編集された文書データの中には、データの変更履歴を示す変更履歴情報を有するものがある。そして、このような文書データが示す文書を記録媒体に複合機等の画像形成装置により印刷する際、文書と一緒に変更履歴を印刷することが可能である。例えば、削除された文字や追加された文字は赤色インクで印刷され、更に、文書が横書きであれば、削除された文字の中央を横断する打消線が赤色インクで印刷され、追加された文字に引かれた下線が赤色インクで印刷される。
【先行技術文献】
【特許文献】
【０００３】
【特許文献１】特開２００５−１７１２１０号公報
【発明の概要】
【発明が解決しようとする課題】
【０００４】
図６（Ａ）は、変更前の文書の一例を示した図であり、図６（Ｂ）は、変更後の文書の一例を示した図であり、図６（Ｃ）は、変更履歴が表示された文書の一例を示した図である。図６には、「炭素」と「等」との間から「とニホニウム」が削除され、「佐藤太郎氏」と「の努力」との間に「と鈴木花子氏」が追加され、「３」が「４」に修正されている例を示す。
【０００５】
図６（Ｃ）に示したように、文書と一緒に変更履歴を印刷させることができれば、変更した箇所が一目で分かるという利点があるが、変更履歴が記録媒体に印刷されたまま残り続ける。例えば、変更履歴は時間が経過すると不要になる、又は、変更履歴にセキュリティーレベルの高い情報が含まれている場合もある。このため、図６に例を示す「ニホニウム」という文言は、時間が経過すると、記録媒体から消去されることが好ましい場合がある。
【０００６】
上記の特許文献１に、人為的な高エネルギーを必要とせずに、記録媒体から除去、あるいは消色するインクに関する技術が記載されている。しかしながら、当該技術の場合、文書全体が消色インクを用いて印刷されてしまう。
【０００７】
本発明は、上記の事情に鑑みなされたものであり、文書と一緒に記録媒体に印刷された変更履歴を、時間が経過したときに、文書を消去することなく記録媒体から除去することを目的とする。
【課題を解決するための手段】
【０００８】
本発明の一局面に係る画像形成装置は、時間が経過すると自然に消える消色インク及び時間が経過しても自然には消えない非消色インクを用いて、画像を記録媒体に形成することが可能な画像形成部と、ユーザーからの印刷指示を受け付ける印刷指示受付部と、前記印刷指示受付部が前記印刷指示を受け付けた文書データに基づく画像の記録媒体への形成を前記画像形成部に実行させる制御部と、前記文書データに対する変更履歴を示す変更履歴情報を取得する取得部と、を備え、前記制御部は、前記文書データに基づく画像のうち、前記取得部により取得された前記変更履歴情報が示す変更履歴に基づく画像については、前記消色インクを用いて前記画像形成部に形成させ、それ以外の画像については、前記非消色インクを用いて前記画像形成部に形成させる。
【発明の効果】
【０００９】
本発明によれば、ユーザーから印刷が指示された文書データに基づく画像のうち、変更履歴に基づく画像は消色インクを用いて記録媒体に形成され、変更履歴以外の画像は非消色インクを用いて記録媒体に形成されるので、文書と一緒に記録媒体に印刷された変更履歴のみを、時間が経過したときに記録媒体から除去することが可能である。
【図面の簡単な説明】
【００１０】
【図１】本発明の一実施形態に係る画像形成装置を含んで構成される印刷システムを概略的に示したシステム構成図である。
【図２】本発明の一実施形態に係る画像形成装置の主要内部構成を概略的に示した機能ブロック図である。
【図３】表示部に表示される操作画面の一例を示した図である。
【図４】表示部に表示される操作画面の一例を示した図である。
【図５】本発明の一実施形態に係る画像形成装置の制御ユニットで行われる処理の一例を示したフローチャートである。
【図６】（Ａ）は、変更前の文書の一例を示した図であり、（Ｂ）は、変更後の文書の一例を示した図であり、（Ｃ）は、変更履歴が表示された文書の一例を示した図である。
【発明を実施するための形態】
【００１１】
以下、本発明の一実施形態に係る画像形成装置について図面を参照して説明する。図１は、本発明の一実施形態に係る画像形成装置を含んで構成される印刷システムを概略的に示したシステム構成図である。図２は、本発明の一実施形態に係る画像形成装置の主要内部構成を概略的に示した機能ブロック図である。
【００１２】
印刷システム１１は、画像形成装置１と、印刷管理サーバー２と、複数の情報処理装置３Ａ〜３Ｃ（以降、まとめて「情報処理装置３」と称す）と、複数の携帯装置４Ａ〜４Ｃ（以降、まとめて「携帯装置４」と称す）と、インターネット等のネットワークとを含んで構成されている。
【００１３】
印刷管理サーバー２は、画像形成装置１を利用可能な状態にするログイン情報（例えば、各ユーザーのＩＤやパスワード）を記憶する個人情報記憶部（図示せず）を備える。また、当該個人情報記憶部には、各ユーザーが使用する情報処理装置３のメールアドレス情報や携帯装置４の電話番号情報等も記憶されている。
【００１４】
情報処理装置３は、表示部３１を備えると共に、文書編集アプリケーション等のアプリケーションを有し、更にはネットワークを介したデータ通信が可能な装置であり、例えば、パソコンである。情報処理装置３は、外部装置（例えば、画像形成装置１）からネットワークを介して送信されてきたメッセージデータを受信すると、受信したメッセージデータが示すメッセージを表示部３１に表示することが可能に構成されている。
【００１５】
携帯装置４は、表示部４１を備えると共に、ネットワークを介したデータ通信が可能な装置であり、例えば、携帯電話である。携帯装置４は、情報処理装置３と同様に、外部装置からネットワークを介して送信されてきたメッセージデータを受信すると、受信したメッセージデータが示すメッセージを表示部４１に表示することが可能に構成されている。
【００１６】
画像形成装置１は、例えば、コピー機能、プリンター機能、スキャナー機能、及びファクシミリ機能のような複数の機能を兼ね備えた複合機である。画像形成装置１は、制御ユニット１０、原稿給送部６、原稿読取部５、画像形成部１２、ＨＤＤ（Hard Disk Drive）９２、定着部１３、給紙部１４、操作部４７、及びネットワークインターフェイス部９１を備える。
【００１７】
画像形成装置１で原稿読取動作が行われる場合について説明する。原稿給送部６により搬送されてきた原稿、又は図略のコンタクトガラスに載置されている原稿の画像を、原稿読取部５が光学的に読み取り、そして画像データを生成する。原稿読取部５により生成された画像データは、図略の画像メモリー等に保存される。
【００１８】
画像形成装置１で画像形成動作が行われる場合について説明する。原稿読取動作により生成された画像データや、ネットワーク接続された外部装置２０としての情報処理装置３等から受信した画像データや文書データに基づいて、画像形成部１２が、給紙部１４から給紙される記録媒体としての記録紙にトナー像を形成する。
【００１９】
画像形成部１２は、時間が経過すると自然に消える消色インク及び時間が経過しても自然には消えない非消色インクを用いて、画像を記録媒体に形成することが可能に構成されている。
【００２０】
ＨＤＤ９２は、情報処理装置３から送信されてきた画像データや文書データ等を記憶する大容量の記憶装置であり、文書データを格納する文書データ格納部９２１を含む。なお、文書データ格納部については、印刷管理サーバー２が備えてもよい。
【００２１】
定着部１３は、熱圧着によりトナー像を記録紙に定着させるものであり、定着処理が施された記録紙は排出トレイに排出される。給紙部１４は、給紙カセットを備える。
【００２２】
操作部４７は、画像形成装置１が実行可能な各種動作及び処理について、操作者から、画像形成動作実行指示等の指示を受け付ける。操作部４７は、操作者への操作案内等を表示する表示部４７３を備えている。表示部４７３はタッチパネルになっており、操作者は画面表示されるボタンやキーに触れて画像形成装置１を操作することができる。
【００２３】
ネットワークインターフェイス部９１は、ローカルエリア内、又はインターネット上の外部装置２０（例えば、印刷管理サーバー２、情報処理装置３、携帯装置４）と種々のデータの送受信を行うものである。
【００２４】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、又はＭＰＵ（Micro Processing Unit）等である。制御ユニット１０は、制御部１００と、操作受付部１０１と、取得部１０５と、特定部１０６と、通知部１０７とを備えている。
【００２５】
制御ユニット１０は、ＨＤＤ９２に記憶されている制御プログラムに従った動作により、制御部１００、操作受付部１０１、取得部１０５、特定部１０６、及び通知部１０７として機能する。但し、制御部１００等は、制御ユニット１０による制御プログラムに従った動作によらず、それぞれハードウェア回路により構成することも可能である。以下、特に触れない限り、各実施形態について同様である。
【００２６】
制御部１００は、画像形成装置１の全体的な動作制御を司る。制御部１００は、原稿給送部６、原稿読取部５、画像形成部１２、ＨＤＤ９２、定着部１３、給紙部１４、操作部４７、及びネットワークインターフェイス部９１と接続され、これら各部の駆動制御等を行う。例えば、制御部１００は、画像形成部１２の動作を制御することで、画像を記録媒体に形成させる。
【００２７】
操作受付部１０１は、操作部４７等を介したユーザーからの操作入力を受け付ける。また、操作受付部１０１は、印刷指示受付部１０２と、消去指示受付部１０３と、通知指示受付部１０４とを備えている。
【００２８】
印刷指示受付部１０２は、ユーザーからの印刷指示を受け付ける。例えば、ユーザーが情報処理装置３を操作することによって、情報処理装置３から送信された文書データが示す文書の印刷が画像形成装置１に対して指示され、印刷指示受付部１０２が、当該印刷の指示を受け付けると、制御部１００は、印刷指示受付部１０２が印刷指示を受け付けた文書データに基づく画像の記録媒体への形成を画像形成部１２に実行させる。
【００２９】
また、ユーザーが情報処理装置３や携帯装置４、画像形成装置１の操作部４７を操作することによって、画像形成装置１が備える文書データ格納部９２１（又は印刷管理サーバー２が備える図略の文書データ格納部）に格納されている文書データが示す文書の印刷が画像形成装置１に対して指示され、印刷指示受付部１０２が、当該印刷の指示を受け付けると、制御部１００は、上記と同様に、印刷指示受付部１０２が印刷指示を受け付けた文書データに基づく画像の記録媒体への形成を画像形成部１２に実行させる。
【００３０】
取得部１０５は、印刷指示受付部１０２が印刷指示を受け付けた文書データに対する変更履歴を示す変更履歴情報を取得する。例えば、文書データに変更履歴情報が含まれている場合、取得部１０５は、文書データから変更履歴情報を抽出して取得する。
【００３１】
そして、制御部１００は、当該文書データに基づく画像のうち、取得部１０５により取得された変更履歴情報が示す変更履歴に基づく画像については、消色インクを用いて画像形成部１２に形成させ、それ以外の画像については、非消色インクを用いて画像形成部１２に形成させる。
【００３２】
例えば、変更履歴が表示された文書が図６（Ｃ）に示したようなものである場合、文字「とニホニウム」及び「３」と、「とニホニウム」及び「３」の中央を横断する打消線と、「と鈴木花子氏」及び「４」に引かれた下線とが消色インクを用いて印刷される。
【００３３】
なお、パーソナルコンピューター等の情報処理装置３は、通常、インストールされているプリントドライバーを使って、文書データをＰＤＬ（Page Description Language）で記述されたデータに変換してから画像形成装置１へ送信する。変換後のデータにおいて、文書そのものと変更履歴情報を区別するのは難しく、文書データから変更履歴情報を抽出するのは困難である。
【００３４】
そこで、文書データから変更履歴情報を抽出することが困難である場合、取得部１０５は、文書データ格納部９２１に記憶されている基本文書データの中から、印刷指示受付部１０２が印刷指示を受け付けた文書データと類似する基本文書データを、文書データ格納部９２１から読み出し、読み出した基本文書データが示す文章と、印刷指示受付部１０２が印刷指示を受け付けた文書データが示す文章との差分となる文章部分を、変更履歴情報として取得するようにしてもよい。
【００３５】
取得部１０５は、上記類似しているか否かを、比較対象とする両者のデータの一致率から判断することができる。例えば、取得部１０５は、一致率が予め定められた値（例えば、９５％）以上の内で、最も一致率の高い基本文書データを、文書データ格納部９２１に記憶されている基本文書データの中から読み出して、印刷指示受付部１０２が印刷指示を受け付けた文書データとの比較対象とする。なお、文書データ格納部９２１から上記一致率が予め定められた値以上の基本文書データが検出されない場合、取得部１０５は、印刷指示受付部１０２が印刷指示を受け付けた文書データが変更履歴を含まないと判断する。
【００３６】
特定部１０６は、印刷指示を行うユーザーを特定する。例えば、画像形成装置１に対して印刷指示等の各種指示を行う際に、画像形成装置１へのログインが必要になっている場合には、ログインに用いられるログイン情報から特定部１０６が印刷指示を行うユーザーを特定する。
【００３７】
通知部１０７は、画像形成部１２で消色インクを用いての印刷が行われてから予め定められた期間Ｔ１が経過したときに、変更履歴に基づく画像が記録媒体から消える旨を、特定部１０６により特定されたユーザーに通知する処理を行う。例えば、通知部１０７は、特定部１０６が特定したユーザーが所有する情報処理装置３又は携帯装置４のメールアドレス情報等を印刷管理サーバー２から読み出し、読み出した情報に基づいて、ネットワークインターフェイス部９１により、ユーザーが使用する情報処理装置３や携帯装置４に対して、変更履歴に基づく画像が記録媒体から消える旨を示すメッセージを電子メールで送信させる。
【００３８】
なお、予め定められた期間Ｔ１は、消色インクが消えるまでの期間Ｔ２よりも短い期間に設定される。例えば、消色インクが消えるまでの期間Ｔ２が３日間であれば、期間Ｔ１を２日間に設定する。
【００３９】
消去指示受付部１０３は、変更履歴に基づく画像を記録媒体から消去させるか否かの消去指示を受け付ける。例えば、制御部１００が、図３に示すような操作画面Ｐ１を表示部４７３に表示する。
【００４０】
操作画面Ｐ１には、「ＯＮ」と記された選択ボタンＢ１１と「ＯＦＦ」と記された選択ボタンＢ１２とが表示されている。操作部４７を介して選択ボタンＢ１１がユーザーによって押下されると、消去指示受付部１０３は、タッチパネル機能を介して、上記消去指示を受け付け、選択ボタンＢ１２がユーザーによって押下されると、消去指示受付部１０３は、変更履歴に基づく画像を記録媒体から消去しない指示を受け付ける。
【００４１】
制御部１００は、消去指示受付部１０３が上記消去指示を受け付けている場合、変更履歴に基づく画像について、消色インクを用いて画像形成部１２に形成させるが、消去指示受付部１０３が上記消去しない指示を受け付けている場合、変更履歴に基づく画像についても、非消色インクを用いて画像形成部１２に形成させる。
【００４２】
通知指示受付部１０４は、通知部１０７による上記通知処理を行わせるか否かの通知指示を受け付ける。例えば、制御部１００が、図４に示すような操作画面Ｐ２を表示部４７３に表示する。
【００４３】
操作画面Ｐ２には、「ＯＮ」と記された選択ボタンＢ２１と「ＯＦＦ」と記された選択ボタンＢ２２とが表示されている。操作部４７を介して選択ボタンＢ２１がユーザーによって押下されると、通知指示受付部１０４は、タッチパネル機能を介して、上記通知指示を受け付け、選択ボタンＢ２２がユーザーによって押下されると、通知指示受付部１０４は、通知部１０７による上記通知処理を行わせない指示を受け付ける。
【００４４】
通知部１０７は、通知指示受付部１０４が上記通知指示を受け付けている場合、変更履歴に基づく画像が記録媒体（用紙）から消える旨を、特定部１０６により特定されたユーザーに通知するが、通知指示受付部１０４が上記通知指示を受け付けていない場合、上記通知を行わない。
【００４５】
次に、本発明の一実施形態に係る画像形成装置１の制御ユニット１０で行われる処理の一例について、図５に示したフローチャートに基づいて説明する。なお、この処理は、印刷指示受付部１０２が、ユーザーからの印刷指示を受け付けた場合に行われる。
【００４６】
印刷指示受付部１０２が、ユーザーからの印刷指示を受け付けると、制御部１００は、消去指示受付部１０３が、変更履歴に基づく画像を記録媒体から消去させる消去指示を受け付けているか否かを判断する（Ｓ１）。
【００４７】
制御部１００は、消去指示受付部１０３が、変更履歴に基づく画像を記録媒体から消去させる消去指示を受け付けていると判断した場合（Ｓ１でＹＥＳ）、印刷指示受付部１０２が印刷指示を受け付けた文書データが変更履歴情報を有しているか否かを判断する（Ｓ２）。
【００４８】
制御部１００が、印刷指示受付部１０２が印刷指示を受け付けた文書データが変更履歴情報を有していると判断した場合（Ｓ２でＹＥＳ）、取得部１０５は、当該文書データから変更履歴情報を取得する（Ｓ３）。この後、処理はＳ７に移る。
【００４９】
例えば、変更履歴が表示された文書が図６（Ｃ）に示したようなものである場合、「炭素」と「等」との間から「とニホニウム」が削除されたこと、「佐藤太郎氏」と「の努力」との間に「と鈴木花子氏」が追加されたこと、「３」が「４」に修正されたこと、更には、削除文字の中央に打消線が横断していること、追加文字に下線が引かれることが、取得部１０５により変更履歴情報として取得される。
【００５０】
一方、制御部１００が、印刷指示受付部１０２が印刷指示を受け付けた文書データが抽出可能な変更履歴情報を有していないと判断した場合（Ｓ２でＮＯ）、取得部１０５が、文書データ格納部９２１に、当該文書データと類似する基本文書データが存在するか否かを判断する（Ｓ４）。
【００５１】
取得部１０５は、文書データ格納部９２１に、当該文書データと類似する基本文書データが存在すると判断した場合（Ｓ４でＹＥＳ）、文書データ格納部９２１から、当該基本文書データを読み出し（Ｓ５）、読み出した基本文書データと、当該文書データとの差分となる文章部分を変更履歴情報として取得する（Ｓ６）。この後、処理はＳ７に移る。
【００５２】
Ｓ７において、制御部１００は、印刷指示受付部１０２が印刷指示を受け付けた文書データの文章を示す画像のうち、取得部１０５により取得された変更履歴情報が示す変更履歴を示す画像については、消色インクを用いて画像形成部１２に形成させ、それ以外の画像については、非消色インクを用いて画像形成部１２に形成させる（Ｓ７）。
【００５３】
制御部１００は、画像形成部１２による画像形成（印刷ジョブ）が終了したか否かを判断し（Ｓ８）、印刷ジョブが終了したと判断すると（Ｓ８でＹＥＳ）、通知部１０７は、通知指示受付部１０４が、変更履歴に基づく画像が記録媒体から消える旨をユーザーに伝える通知処理を行わせる通知指示を受け付けているか否かを判断する（Ｓ９）。
【００５４】
通知部１０７は、通知指示受付部１０４が、上記通知指示を受け付けていると判断した場合（Ｓ９でＹＥＳ）、制御ユニット１０に内蔵されている時計から現在日時情報を取得し（Ｓ１０）、現在日時から予め定められた期間Ｔ１が経過した時、例えば、４８時間後（予め定められた期間Ｔ１である２日後）を通知日時に設定する（Ｓ１１）。
【００５５】
続いて、通知部１０７は、ログイン時に特定部１０６によって特定されたユーザーの通知先情報（例えば、ユーザーが使用する情報処理装置３又は携帯装置４のメールアドレス情報等）を印刷管理サーバー２から取得し（Ｓ１２）、通知日時に対応付けて、ユーザーの通知先情報を保持する（Ｓ１３）。そして、処理は終了する。
【００５６】
この後、通知部１０７は、内蔵されている時計から現在日時情報を定期的に取得し、保持している通知日時と現在日時とを比較し（Ｓ１６）、通知日時になったと判断した場合（Ｓ１６でＹＥＳ）、変更履歴に基づく画像が記録媒体から消える旨を示したメッセージデータを、ネットワークインターフェイス部９１を介して、該当する通知先情報が示す通知先へ例えば電子メール等により送信させる（Ｓ１７）。
【００５７】
上記メッセージデータを受信した情報処理装置３や携帯装置４は、上記メッセージデータが示すメッセージを情報処理装置３の表示部３１や携帯装置４の表示部４１に表示する。これにより、ユーザーは、表示部３１，４１に表示されている内容を確認することで、変更履歴に基づく画像が記録媒体から間もなく消えることを認識することができる。
【００５８】
一方、通知部１０７は、通知指示受付部１０４が、上記通知指示を受け付けていないと判断した場合（Ｓ９でＮＯ）、Ｓ１０〜Ｓ１３，Ｓ１６，Ｓ１７は必要ないので、処理は終了する。
【００５９】
また、Ｓ１において、制御部１００が、消去指示受付部１０３が、変更履歴に基づく画像を記録媒体から消去させる消去指示を受け付けていないと判断した場合（Ｓ１でＮＯ）や、Ｓ４において、取得部１０５が、文書データ格納部９２１に類似する基本文書データが存在しないと判断した場合（Ｓ４でＮＯ）、制御部１００は、印刷指示受付部１０２が印刷指示を受け付けた文書データに基づく全ての画像を、従来通りに非消色インクを用いて画像形成部１２に形成させる（Ｓ１４）。
【００６０】
そして、制御部１００は、印刷ジョブが終了したか否かを判断し（Ｓ１５）、印刷ジョブが終了したと判断すると（Ｓ１５でＹＥＳ）、処理を終了する。
【００６１】
上記実施形態によれば、ユーザーから印刷が指示された文書データに基づく画像のうち、変更履歴に基づく画像は、消色インクを用いて記録媒体に形成される。従って、文書と一緒に記録媒体に印刷された変更履歴を、時間が経過すると記録媒体から除去されるようにすることができる。
【００６２】
また、変更履歴に基づく画像が記録媒体から消えることがユーザーに事前に通知されるので、変更履歴が消える前に変更履歴を確認する等の処理をユーザーに行わせること等が可能となる。また、変更履歴に基づく画像に対する消色インクを用いての印刷や、消える旨の事前通知を実施するか否かについては、ユーザーが任意に選択することが可能である。
【００６３】
また、本発明は上記実施の形態の構成に限られず種々の変形が可能である。また、上記実施形態では、本発明に係る画像形成装置の一実施形態として複合機を用いて説明しているが、これは一例に過ぎず、例えば、プリンター機能を有した他の画像形成装置でもよい。
【００６４】
また、上記実施形態では、図１乃至図６を用いて上記実施形態により示した構成及び処理は、本発明の一実施形態に過ぎず、本発明を当該構成及び処理に限定する趣旨ではない。
【符号の説明】
【００６５】
１        画像形成装置
１２      画像形成部
１００    制御部
１０２    印刷指示受付部
１０３    消去指示受付部
１０４    通知指示受付部
１０５    取得部
１０６    特定部
１０７    通知部
９２１    文書データ格納部
【図１】
2019171825.tif 000003
【図２】
2019171825.tif 000004
【図３】
2019171825.tif 000005
【図４】
2019171825.tif 000006
【図５】
2019171825.tif 000007
【図６】
2019171825.tif 000008